(57)【要約】【課題】磁力線を放出している器物について、簡易に磁場の状態を三次元的に視認できるようにする。【解決手段】上面側に内部を透視可能に透明板１ａが設けられた非磁性体素材からなる所定形状の容器に、透明な液体１０に磁性体微粒子２０を混合した状態で封入してなる液室１ｄが設けられており、外部から侵入した磁力線に沿って磁性体粒子が泳動し配列・集積して所定の形状となることで、磁場を可視化して観察者に視認させるための磁場視認器１Ａであって、液室１ｄの底面と透明板１ａ下面との間隔Ｙが、観察者が上面側から見て液室１ｄ内を立体的に認識できる大きさを有しており、立体的に集積した磁性体塊２００により磁場の状態を三次元的に視認可能としたものとした。【選択図】図１
0003121331.tif 000002
【実用新案登録請求の範囲】
【請求項１】
上面側に内部を透視可能に透明板が設けられた非磁性体素材からなる所定形状の容器に、透明な液体に磁性体粒子を混合した状態で封入してなる液室が設けられており、外部から侵入した磁力線に沿って前記磁性体粒子が泳動し配列・集積して所定の形状となることで、磁場を可視化して観察者に視認させるための磁場視認器において、
前記液室の底面と前記透明板下面との間隔は、前記観察者が上面側から見て前記液室内を立体的に認識できる所定の大きさを有しており、立体的に集積した前記磁性体粒子により磁場の状態を三次元的に視認可能とした、
ことを特徴とする磁場視認器。
【請求項２】
前記間隔の大きさは、少なくとも３ｍｍ以上であることを特徴とする、請求項１に記載した磁場視認器。
【請求項３】
前記磁性体粒子は、ニッケル粉であることを特徴とする請求項１または２に記載した磁場視認器。
【請求項４】
前記液体は、水であることを特徴とする請求項３に記載した磁場視認器。
【請求項５】
前記透明板は、所定位置に磁力線の及ぶ範囲を計測するための物差しが表示されている、ことを特徴とする請求項１，２，３または４に記載した磁場視認器。
【請求項６】
前記液室は所定量の空気が封入され、前記透明板は所定位置に分度器が表示されており、前記透明板を正面にして起立させた状態で液面の角度を計測可能とされている、ことを特徴とする請求項１，２，３，４または５に記載した磁場視認器。
【考案の詳細な説明】
【技術分野】
【０００１】
本考案は、磁力線を放出している器物についてその磁場の状態を可視化して観察者に視認させるための磁場視認器に関する。  
【背景技術】
【０００２】
近年、磁石による磁力線の作用を利用した製品が多種多様に普及している。例えば、一般用として磁気リングなどの磁気健康器具や磁気アクセサリー等が知られており、また、工業用として製品中に混入した鉄粉を強力な磁力で吸着して除去する鉄粉除去装置等が開発されている。
【０００３】
ところで、磁石の放出する磁力線は直接目で見ることができないことから、鉄片や砂鉄などの目に見える磁性体を実際に吸着させる等の方法で磁場の存在を確認するのが通常である。ところが、単に磁性体を吸着させるだけでは、磁力線が三次元的に存在する磁場の状態を確認することはできない。また、磁束計等を用いて測定する場合でも、局所的な磁束密度はわかるが磁場を立体的に認識することは極めて困難である。
【０００４】
例えば、複数の磁石を組み合わせてなる磁気健康器具を身体に装着する場合、磁石の構成・配置により磁力線が身体内に向かずに体外や健康器具内部に集中している場合があり、鉄を吸着しても磁力線効果が殆ど期待できないことが多々ある。また、鉄粉除去装置は流動性のある製品を棒状のマグネットバーを格子状に設けた通路を通過させる等の手段で鉄粉を吸着させるものであるが、マグネットバーの間隔中に磁力線が充分に及ばない吸着不能部分のないようにその設置位置を決定する必要があるところ、マグネットバーの磁場にバラツキがあることも相俟って、実際の磁場の状態を簡易且つ正確に認識できないことから正確な位置決定が極めて困難である。
【０００５】
この問題に対し、例えば特開平７−１９２１０４号公報に記載されているように、磁性体粒子を回転可能に封入したマイクロカプセルをバインダーに分散配置してなる磁気記録媒体が知られており、これと同じ構造で磁力線の存在およびその向きを確認することができるカード状の磁力線表示器が普及している。これらは、磁石を近接させて磁気を印加した部分の磁性体粒子が印加磁場方向に配列されて画像として可視化されることを利用したものである。
【０００６】
また、例えば実登第３０９１２５０号公報に記載されているように、少なくとも表側が透明の二枚のフィルム間に磁性体粒子を含有した液体を封入してシート状またはカード状とし、磁力線を視認したい器物の上に密着または近接させることで、液体中の磁性体粒子が泳動して磁力線と同一の軌跡を描くようにした磁力線提示器が提案されている。
【０００７】
このように、目に見える磁性体粒子をマイクロカプセル中に回転可能に封入、或いは液体中に泳動可能に封入することで、比較的簡易に磁力線の状態を可視化することができる。ところが、このようにシート状またはカード状の磁力線表示器では、磁力線が立体的に広がっている磁場の状態を平面的にしか表示することが出来ない。殊に、マイクロカプセル内に磁性体粒子を封入したものは、表面から見て磁性体粒子の向きが変化するだけの完全に二次元的な表示手段であり、加えて、磁性体粒子自体が移動するものではないためモータなどの動的な対象の場合は磁性体粒子でその動きを表現することが一層困難である。
【０００８】
また、磁性体粒子を含有した液体をシート内に封入したものは、狭い間隔を磁性粒子が泳動するときの抵抗が大きいことから充分な泳動量が期待できないため、短時間の測定では磁力線の状態を正確に表示できない場合がある。さらに、磁性体粒子として安価な鉄粉を用いた場合には、水に混入すれば錆が発生しやすくなり、錆を防ぐために油に混入すればその粘性で更に泳動性を損なうとともに、油が漏出した場合にその汚れや危険性が問題となりやすい。
【０００９】
一方、鉄以外の腐蝕しにくい磁性体を使用して錆の問題を回避する方法もあるが、この場合はコストアップを伴いやすい点がネックとなる。加えて、上述したような磁性体を用いた場合は残留磁化が問題となり、また軟磁性鉄等の残留磁化の少ない材料を用いた場合でも、例えば磁束密度が１万ガウス以上となるような磁場内に入った場合には磁力が残留しやすくなる点が問題である。即ち、可視化のための磁性材料において磁力が残留することで堅固な塊を形成し、回転や泳動が不能となってそれ以後は磁力線の状態を表示できなくなるからである。
【特許文献１】特開平７−１９２１０４号公報
【特許文献２】実登第３０９１２５０号公報
【考案の開示】
【考案が解決しようとする課題】
【００１０】
本考案は、上記のような問題点を解決しようとするものであり、磁力線を放出している器物について、簡易に磁場の状態を三次元的に視認できるようにすることを課題とする。
【課題を解決するための手段】
【００１１】
そこで、本考案は、上面側に内部を透視可能に透明板が設けられた非磁性体素材からなる所定形状の容器に、透明な液体に磁性体粒子を混合した状態で封入してなる液室が設けられており、外部から侵入した磁力線に沿って磁性体粒子が泳動し配列・集積して所定の形状となることで、磁場を可視化して観察者に視認させるための磁場視認器において、この液室の底面と透明板下面との間隔が、観察者が上面側から見て液室内を立体的に認識できる大きさを有しており、立体的に集積した磁性体粒子により磁場の状態を三次元的に視認可能とした、ことを特徴とするものとした。
【００１２】
このように、磁場視認器の内部を上面側から所定の奥行きを有する立体的な構成としたことで、所定の空間を形成している磁場について三次元的に視認可能として、観察者が容易にその状態を視認できるものとなる。
【００１３】
また、この底面と透明板下面とで形成される間隔の大きさは、少なくとも３ｍｍ以上であるものとすれば、磁性体粒子の泳動性を確保しやすくなることに加え、磁場の形状を立体的に視認しやすいものとなる。
【００１４】
さらに、上述した磁場視認器において、封入される液体に混合される磁性体粒子がニッケル粉であるものとすれば、比較的強い磁力に曝されても残留磁化が少ないとともに、錆や腐蝕に強いものとなる。この場合、封入する液体を水にすれば、使用する液体が安価であるとともに漏出しても安全であり、且つ粘性が低く磁性体粒子の泳動性を妨げにくいものとなる。
【００１５】
さらにまた、上述した磁場視認器において、透明板の所定位置に磁力線の及ぶ範囲を計測するための物差しを表示すれば、磁場の状態に関する計測が容易なものとなり、加えて、上述した磁場視認器において内部に所定量の空気を封入するとともに、透明板の所定位置に分度器を表示したものとして、透明板を正面にして起立させた状態で液面の角度を計測できるものとすれば、磁場視認器の左右方向の傾きを容易に計測できるようになる。
【考案の効果】
【００１６】
このように極めて簡易な構成でコストの低廉な本考案により、簡易な手順で磁場を視認することができ、しかも液室が上面側から所定の奥行き有することで磁場の状態を三次元的に視認できるものとした。
【考案を実施するための最良の形態】
【００１７】
以下に、図面を参照しながら本考案を実施するための最良の形態を説明する。
【００１８】
図１乃至図４は、本考案における第一の実施の形態の磁場視認器１Ａを示している。図１（Ａ）およびそのＸ−Ｘ線に沿う断面図である（Ｂ）を参照して、磁場視認器１Ａは、上面に透明板１ａを有して内部に液室１ｄを備え、外観が略方形タイル状で樹脂などの非磁性体素材からなる筺状部材の内部に、透明な液体１０および目視できる磁性体微粒子２０を封入してなるものである。尚、側壁１ｂ，１ｂ，１ｂ，１ｂおよび底壁１ｃのうち、少なくとも底壁１ｃを不透明とすることが視認性確保の観点で好ましく、内部に封入する液体１０はコスト性及び磁性体粒子の泳動性確保の観点から水が好適であり、これに混入する磁性体粒子２０は防錆・耐蝕性および残留磁化の少なさの観点からニッケル粉が好適である。
【００１９】
底壁１ｃの底面の色は、磁性体粒子２０による形状を透明板１ａを通して視認しやすくする観点から白などの明るい色が好適である。また、透明板１ａの上面には直角に交差して表示された物差し１００ａ，１００ｂが設けられて、磁力線の及ぶ範囲や磁石の設置間隔を容易に測定できるようにしてあり、さらに、物差し１００ａに対してその底辺側を並列するように表示された分度器１００ｃが設けられ、内部に封入した空気３０と液体１０とで形成される水面の角度を測定可能として磁場視認器１Ａを起立させたときの左右の傾きを簡易に測定できるようになっている。
【００２０】
図１（Ｂ）に示すように、液室１ｄ内は液体１０がほぼいっぱいに充填され、磁性体粒子２０は液体１０よりも比重が重いために底面側に沈殿している。本考案において。従来の磁場視認器が上面を形成する透明板と底壁とで形成される間隔が極めて小さく全体として平面的なシート状またはカード状であったのに対し、液室１ｄにおいて透明板１ａ下面と底壁１ｃ上面との間に所定の間隔Ｙを形成しており、この間隔Ｙは、少なくとも観察者が上面側から液室１ｄ内を立体的に認識、即ち奥行きを認識できる大きさであって、磁場を可視化した磁性体微粒子２０の塊を立体的に視認できるだけの大きさを有している点を特徴としている。
【００２１】
尚、この間隔Ｙの大きさについて、本願考案者が様々なサイズで実験してみたところ、磁場における所定の吸引力を発揮する領域とほぼ一致する磁性体塊の形状を立体的に視認できるようにするためには、少なくとも３ｍｍ以上は必要であり、例えば透明板１ａを１０ｃｍ×１０ｃｍ程度の大きさとした場合、立体的な視認性に加えて携帯性・扱いやすさの観点から、液室１ｄの奥行きは５ｍｍ程度が適当である。
【００２２】
図１（Ｃ）は、図１（Ｂ）の状態からマグネットバー５０の上に磁場視認器１Ａを載せた状態を示しており、マグネットバー５０が放出する磁力線に沿うように、磁性体微粒子２０が断面山形の磁性体塊２００を形成しており、観察者が上方から見て立体的な山脈状に視認できることで磁場を三次元的に認識できるようになっており、磁場のムラ等による表面の細かい凹凸まで視認することができるものである。  
【００２３】
次に、本実施の形態の作用について、図２乃至図４を用いて詳細に説明する。
【００２４】
先ず、磁場視認器１Ａを手に持って複数回揺すり、液体１０中に磁性体微粒子２０が均一に分散するようにしてから、図２（Ａ）の平面図に示すようにその透明板１ａを上側にする。そして、例えば鉄粉除去装置等に用いられるマグネットバー５０，５０の設置間隔を決定する場合には、２本のマグネットバー５０，５０の間を渡すようにその上に磁場視認器１Ａを水平に設置する。
【００２５】
すると、所定間隔で配置されたマグネットバー５０，５０の磁場により、磁性体微粒子２０は泳動して図２（Ｂ）に示すような状態となり、マグネットバー５０，５０の長さ方向に沿って山脈状の磁性体塊２００ａ，２００ｂが形成される。この場合、その中間位置に泳動しなかった磁性体２０が沈殿して残り、この部分には磁力線が充分に到達せずに吸着不能領域が生じていることが容易に確認される。従って、マグネットバー５０，５０を、少なくともこの磁性体２０が残存した吸着不能領域の分だけ更に接近させて配置しなければならないことが分かる。
【００２６】
透明板１ａを正面にして起立させた磁場視認器１Ａの状態を示す正面図である図３（Ａ）を参照して、磁性体微粒子２０は液体１０内で下方に沈殿しており、液体１０の上方には空気３０が集まって、その水面１０ａが透明板１ａ上に表示された分度器１００ｃの底辺に一致している。
【００２７】
そして、マグネットバー５０，５０による磁場の断面形状を見る目的で磁場視認器１Ａを傾け、その１つの角をマグネットバー５０，５０間に差し込むと、図３（Ｂ）のような状態となる。このとき、水面１０ａは分度器１００ｃの４５°の目盛りに一致しており、磁場視認器１Ａの傾きが４５°であることが分かり傾きが容易に測定される。尚、分度器１００ｃと水面１０ａで水準器としても利用することができる。
【００２８】
図４を参照して、磁場視認器１Ａを用い磁石の磁場において所定以上の吸引力を有する範囲を測定する場合を説明する。図のようにマグネットバー６０に、磁場視認器１Ａの一側壁１ｂを密着させると、所定範囲の磁性体微粒子２０が吸着されてマグネットバー６０側に集まって磁性体塊２００ｄを形成し、磁性体微粒子２０が吸引されることで除去された空白領域３００が形成される。
【００２９】
この空白領域３００において、少なくとも磁性体微粒子２０が吸着されるだけの吸引力が発生しているものであり、その外縁がその吸引限界線３００ａとなる。そして、吸引限界線３００ａは透明板１ａに表示した物差し１００ｂの目盛り（ｃｍ）でマグネットバー６０外面から約４ｃｍであることが分かる。このように使用することで、製品間に磁場のムラが多いとされる磁石を用いて装置・器具の設計・製造する場合に極めて有用なものとなる。
【００３０】
図５は、本考案における第２の実施の形態の磁場視認器１Ｂを示している。磁場視認器１Ｂは、外観略方形タイル状の磁場視認器１Ａと異なり、円筒を二つ割りにしたような形状とされている。その上面（外周面）側には磁場視認器１Ａと同様に透明板１ｅが設けられ、内部の液室１ｆには透明な液体１０及び磁性体微粒子２０が封入されている。
【００３１】
このような形状としたことで、円柱状の磁石で発生している磁場の状態について三次元的な視認が一層容易となるが、これに加えて、例えば円筒容器中に収納されモニタ磁石等を付設したシリンダの往復動作やローターの回転動作等について、外部から動的に視認することも容易化することができる。
【００３２】
以上述べたように、本考案により、磁力線を放出している器物について、極めて簡易な構成でしかも簡易な手順により、確認者が磁場の状態を三次元的に視認できるものである。
【図面の簡単な説明】
【００３３】
【図１】（Ａ）は本考案の第１の実施の形態を示す平面図、（Ｂ）はそのＸ−Ｘ線に沿う断面図、（Ｃ）は（Ｂ）の状態の磁場視認器に磁石を密着した場合を示す断面図。
【図２】（Ａ），（Ｂ）は図１の磁場視認器の作用を説明するための平面図。
【図３】（Ａ），（Ｂ）は図１の磁場視認器の作用を説明するための正面図。
【図４】図１の磁場視認器の作用を説明するための平面図。
【図５】本考案の第２の実施の形態を示す斜視図。
【符号の説明】
【００３４】
１Ａ，１Ｂ  磁場視認器、１ａ，１ｅ  透明板、１ｂ  側壁、１ｃ  底壁、１ｄ，１ｆ  液室、１０  液体、１０ａ  水面、２０  磁性体微粒子、３０  空気、５０，６０  マグネットバー、１００ａ，１００ｂ  物差し、１００ｃ  分度器
【図１】
0003121331.tif 000003
【図２】
0003121331.tif 000004
【図３】
0003121331.tif 000005
【図４】
0003121331.tif 000006
【図５】
0003121331.tif 000007